(57)【要約】【課題】  接続要求時にいた地区に応じた入力補助情報によって，ユーザの情報入力を支援する。【解決手段】  地区対応情報入力支援部１０は，端末装置２から接続要求を受けると，受信ＩＰアドレス地区判断手段１５により，ＩＰアドレスのネットワーク番号に対応する地区を記憶する地区情報記憶手段１１を参照して，受信したＩＰアドレスから端末装置２の地区を特定する。地区別入力補助情報選択手段１７により，地区に対応する入力補助情報を記憶する地区別入力補助情報記憶手段から，特定された地区の入力補助情報を取得し，情報送出手段１９により，接続要求元の端末装置２へウェブページ表示情報と入力補助情報とを送出する。【選択図】  図１
2008009663.tif 000002
【特許請求の範囲】
【請求項１】
グローバルＩＰアドレスに含まれる所定の地区区分にもとづく番号情報と，前記番号情報に対応する地区とを記憶する地区情報記憶手段と，
前記地区に対応する入力補助情報を記憶する地区別入力補助情報記憶手段と，
前記地区情報記憶手段を参照して，ウェブ表示情報取得の接続要求元のグローバルＩＰアドレスの番号情報から，当該接続要求元の端末装置が接続要求時に属している地区を特定する受信ＩＰアドレス地区判断手段と，
前記地区別入力補助情報記憶手段から，当該特定された地区に対応する入力補助情報を取得する地区別入力補助情報選択手段と，
前記接続要求元へ所定のウェブ表示情報を送出する場合に，前記入力補助情報を送出する補助情報送出手段とを備える
ことを特徴とする地区対応情報入力支援装置。
【請求項２】
前記地区別入力補助情報記憶手段には，前記入力補助情報として，前記ウェブ表示情報に表示させてユーザの選択操作によって入力される情報入力の選択候補のデータが記憶される
ことを特徴とする請求項１に記載の地区対応情報入力支援装置。
【請求項３】
前記地区別入力補助情報記憶手段には，前記入力補助情報として，前記ウェブ表示情報でユーザの入力操作によって入力される読みに対する文字変換候補のデータが記憶される
ことを特徴とする請求項１に記載の地区対応情報入力支援装置。
【請求項４】
前記入力補助情報として記憶される文字変換候補のデータは，前記ウェブ表示情報でユーザの入力操作によって入力される読みに対して，最初に提示される文字変換候補である
ことを特徴とする請求項３に記載の地区対応情報入力支援装置。
【請求項５】
接続要求元へ所定のウェブ表示情報を送出するサーバが実行する処理方法であって，
グローバルＩＰアドレスに含まれる所定の地区区分にもとづく番号情報と，前記番号情報に対応する地区とを記憶する地区情報記憶手段を参照して，ウェブ表示情報取得の接続要求元のグローバルＩＰアドレスの番号情報から，当該接続要求元の端末装置が接続要求時に属している地区を特定する受信ＩＰアドレス地区判断処理過程と，
前記地区に対応する入力補助情報を記憶する地区別入力補助情報記憶手段から，当該特定された地区に対応する入力補助情報を取得する地区別入力補助情報選択処理過程と，
前記接続要求元へ所定のウェブ表示情報を送出する場合に，前記入力補助情報を送出する補助情報送出処理過程とを備える
ことを特徴とする地区対応情報入力支援方法。
【請求項６】
接続要求元へ所定のウェブ表示情報を送出するサーバに，
グローバルＩＰアドレスに含まれる所定の地区区分にもとづく番号情報と，前記番号情報に対応する地区とを記憶する地区情報記憶手段を参照して，ウェブ表示情報取得の接続要求元のグローバルＩＰアドレスの番号情報から，当該接続要求元の端末装置が接続要求時に属している地区を特定する受信ＩＰアドレス地区判断処理と，
前記地区に対応する入力補助情報を記憶する地区別入力補助情報記憶手段から，当該特定された地区に対応する入力補助情報を取得する地区別入力補助情報選択処理と，
前記接続要求元へ所定のウェブ表示情報を送出する場合に，前記入力補助情報を送出する補助情報送出処理とを，実行させるための
地区対応情報入力支援プログラム。
【発明の詳細な説明】
【技術分野】
【０００１】
本発明は，インターネットでウェブページを蓄積するＷｅｂサーバにおいて，接続要求があった端末装置が位置する地区に応じて，ユーザの情報入力操作の支援を行う処理装置，方法，およびプログラムに関する。
【背景技術】
【０００２】
インターネットでＷｅｂサーバ（以下，単に「サーバ」という）に接続して表示させるウェブページの中には，ユーザの現在位置，すなわち接続要求元（端末装置）の現在位置に応じて異なる情報を表示させることが行われる。例えば，特許文献１のウェブページでは，接続要求時のユーザの発信地区に関する情報をもとに，予め用意しておいた各地区のウェブページを送出し，ブラウザに表示させるようにしている。
【特許文献１】特許第３２５４４２２号公報
【発明の開示】
【発明が解決しようとする課題】
【０００３】
ウェブページには，接続要求元（端末装置）のブラウザでユーザの情報入力操作を促すものがある。例えば，鉄道交通機関のチケット購入や料金換算を行うウェブページでは，乗車駅と降車駅とを入力させる領域を表示してユーザに入力を促し，入力された情報にもとづいて生成されたウェブページをさらに送出している。さらには，例えばプルダウンメニュ形式で入力される情報を提示して，ユーザの情報入力操作を補助している。
【０００４】
ユーザの情報入力操作を伴うウェブページでは，そのコンテンツによっては，ユーザがいる地区によって入力される情報の傾向が異なってくると考えられる。例えば，鉄道交通機関のチケット購入や料金換算を行うウェブページに，大阪にいるユーザがアクセスした場合，表示されたウェブページの乗車駅と降車駅との欄に入力される情報は，近畿圏の駅名である可能性が高い。一方，東京にいるユーザがアクセスした場合，表示されたウェブページの乗車駅と降車駅との欄に入力される情報は，首都圏の駅名である可能性が高い。
【０００５】
しかし，従来技術では，ユーザに情報入力を促すウェブページにおいて，例えば，プルダウンメニュ形式の入力補助情報を表示させる場合に，全国どの地区からサーバに接続要求がされても同じ入力補助情報が表示されていた。
【０００６】
本発明の目的は，予め各地区に応じた入力補助情報を備えておき，ユーザが接続要求時にいる地区に応じた入力補助情報を選択して，ユーザの情報入力を支援できる処理装置，方法，およびプログラムを提供することである。
【課題を解決するための手段】
【０００７】
本発明は，インターネットに接続されたサーバにおいて，所定の地区ごとの入力補助情報を記憶しておき，接続要求対象のウェブ表示情報（ウェブページ）に端末装置での情報入力操作が含まれる場合に，その端末装置が現在存在する地区に対応する入力補助情報を選択し，ウェブ表示情報とともに送出し，ユーザの情報入力操作を支援することを特徴とする。
【０００８】
本発明は，１）グローバルＩＰアドレスに含まれる所定の地区区分にもとづく番号情報と，前記番号情報に対応する地区とを記憶する地区情報記憶手段と，２）前記地区に対応する入力補助情報を記憶する地区別入力補助情報記憶手段と，３）前記地区情報記憶手段を参照して，ウェブ表示情報取得の接続要求元のグローバルＩＰアドレスの番号情報から，当該接続要求元の端末装置が接続要求時に属している地区を特定する受信ＩＰアドレス地区判断手段と，４）前記地区別入力補助情報記憶手段から，当該特定された地区に対応する入力補助情報を取得する地区別入力補助情報選択手段と，５）前記接続要求元へ所定のウェブ表示情報を送出する場合に，前記入力補助情報を送出する補助情報送出手段とを備える。
【０００９】
本発明は，地区情報記憶手段に，グローバルＩＰアドレスに含まれる所定の地区区分にもとづく番号情報と，前記番号情報に対応する地区とを記憶しておく。ここで，地区とは，グローバルＩＰアドレスの番号情報にもとづいて区分された所定の地区である。また，地区別入力補助情報記憶手段に，前記地区に対応する入力補助情報を記憶しておく。
【００１０】
そして，ユーザの端末装置から，ウェブページの接続要求（ダウンロード要求）があると，受信ＩＰアドレス地区判断手段によって，受信した接続要求元の端末装置のグローバルＩＰアドレスの地区ごとに割り当てられている番号情報から，端末装置が接続要求時に属していた地区を特定する。そして，地区別入力補助情報選択手段によって，地区別入力補助情報記憶手段から，当該特定された地区に対応する入力補助情報を取得し，補助情報送出手段によって，端末装置へ所定のウェブ表示情報を送出する場合に，入力補助情報を送出する。これによって，ユーザの端末装置では，ユーザが，自分が存在する地区に関する情報を入力する場合に，効率よく入力操作を行うことができる。
【００１１】
また，前記地区別入力補助情報記憶手段には，入力補助情報として，ウェブページに表示させてユーザの選択操作によって入力される情報入力の選択候補のデータが記憶されてもよい。また，ウェブページでユーザの入力操作によって入力される読みに対する文字変換候補のデータが記憶されてもよい。
【発明の効果】
【００１２】
本発明では，予め地区ごとの入力補助情報を記憶しておき，接続要求対象のウェブページに端末装置でのユーザの情報入力操作が含まれる場合には，その端末装置が現在存在する地区に対応する入力補助情報を選択し，ウェブ表示情報とともに送出する。
【００１３】
よって，端末装置に表示されるウェブページで情報入力操作を促す場合に，その地区で入力される可能性が高い項目を優先的に用いた入力補助情報によってユーザの情報入力操作を支援することができるため，ユーザの情報入力操作の省力化，効率化を図ることができる。
【００１４】
具体的には，ウェブページが，住所・地名などの入力画面，交通機関の駅などを選択する選択画面，特定の地域のアンケートの項目などの入力画面であって，情報入力を要求するものである場合に，ユーザは，これらの画面での情報入力操作を効率的に行うことができる。
【発明を実施するための最良の形態】
【００１５】
図１は，本発明の実施の形態における構成例を示す図である。本発明は，クライアントからの接続要求に応じて蓄積したウェブページを送出するＷｅｂサーバ（サーバ）１で実施される。サーバ１は，インターネット３に接続し，クライアントである端末装置２（２ａ，２ｂ，２ｃ，２ｄ，…）からウェブページの表示要求があると，そのウェブページ表示情報を端末装置２にダウンロードさせる。
【００１６】
本発明の地区対応情報入力支援部１０は，端末装置２に表示されたウェブページで情報入力が行われる場合に，ユーザの情報入力の支援部であって，地区情報記憶手段１１，地区別入力補助情報記憶手段１３，受信ＩＰアドレス地区判断手段１５，地区別入力補助情報選択手段１７，および情報送出手段１９を備える。
【００１７】
地区情報記憶手段１１は，接続要求元のグローバルＩＰアドレス（ＩＰアドレスａ，ｂ，ｃ，ｄ，…）のネットワーク番号と，当該ネットワーク番号に対応する地区とを対応づけて記憶する記憶手段である。本実施の形態では，地区判断テーブルとして実施される。
【００１８】
ここでは，番号情報として，グローバルＩＰアドレスの上位ビットに設定されるネットワーク番号を用いる。図２（Ａ）に示すＶ４用のグローバルＩＰアドレス，図２（Ｂ）に示すＶ６用のグローバルＩＰアドレスのいずれの場合でも，ネットワーク番号を使用することができるので，地区情報記憶手段１１には，Ｖ４用，Ｖ６用各々の地区判断テーブルが記憶される。
【００１９】
図３（Ａ）は，Ｖ４用の地区判断テーブル，図３（Ｂ）は，Ｖ６用の地区判断テーブルの例を示す図である。地区判断テーブルでは，所定の区分のネットワーク番号，このネットワークが割り当てられている地区名（地区），地区を特定する地区コードが設定されている。２つの地区判断テーブルにおいて，１つの地区に対して設定される地区コードは同じ数値とする。
【００２０】
地区別入力補助情報記憶手段１３は，ネットワーク番号で区分された各地区に対応する入力補助情報を記憶する記憶手段である。本実施の形態では，入力補助情報は，地区ごとに用意された変換テーブル群として実施される。
【００２１】
図４ないし図６は，変換テーブルの例を示す図である。
【００２２】
図４（Ａ）〜（Ｆ）は，端末装置２に表示されたウェブページでユーザに文字入力が要求されている場合に，ウェブページの入力域に入力された，ある「読み入力」の変換候補として優先的に表示されるものを設定した変換テーブルである。
【００２３】
図５（Ａ）および（Ｂ）は，ユーザに所定の情報入力が要求されている場合に，ウェブページの情報入力域にプルダウン形式で表示される入力情報の選択候補を設定した変換テーブルである。
【００２４】
図６（Ａ）および（Ｂ）は，アンケート入力などのウェブページでユーザに文字入力が要求されている場合に，ウェブページの入力域に入力された「読み入力」の第１の変換候補として優先的に表示されるものを設定した変換テーブルである。
【００２５】
受信ＩＰアドレス地区判断手段１５は，地区判断テーブルを参照して，端末装置２の接続要求時のグローバルＩＰアドレスに含まれる所定の地区区分にもとづく番号情報から，端末装置２の接続要求時に位置している地区を特定する処理手段である。
【００２６】
地区別入力補助情報選択手段１７は，地区別入力補助情報記憶手段１３から，特定された地区に対応する変換テーブルを，入力補助情報として取得する処理手段である。
【００２７】
情報送出手段１９は，接続要求元の端末装置２へウェブページ表示情報と，地区別入力補助情報選択手段１７で取得された入力補助情報を送出する処理手段である。なお，情報送出手段１９は，接続要求に対して，地区ごとに異なるウェブページ表示情報が蓄積されている場合は，受信ＩＰアドレス地区判断手段１５で特定された地区に対応するウェブページ表示情報を送出する。
【００２８】
図７に，本発明の処理の流れを示す。
【００２９】
端末装置２ａ側で，ブラウザが起動されてサーバ１への接続要求があると（ステップＳ１０のＹＥＳ），サーバ１への接続要求とともに，接続要求元を示す端末装置２ａのグローバルＩＰアドレスが送出される（ステップＳ１１）。
【００３０】
サーバ１側では，端末装置２ａのブラウザからの接続要求を得て（ステップＳ２０のＹＥＳ），接続要求元（端末装置２ａ）のＩＰアドレスが取得できると（ステップＳ２１のＹＥＳ），サーバ１の地区対応情報入力支援部１０の受信ＩＰアドレス地区判断手段１５は，ＩＰアドレスからＶ４またはＶ６の種別を判定する（ステップＳ２２）。さらに，地区情報記憶手段１１に記憶された地区判断テーブルのうち，判定した種別に対応する地区判断テーブルを参照して，ＩＰアドレスのネットワーク番号から地区コードを特定する（ステップＳ２３）。そして，情報送出手段１９は，特定された地区コードに対応するウェブページの表示情報があれば，該当するものを送出する（ステップＳ２４）。
【００３１】
地区別入力補助情報選択手段１７は，ウェブページに，ユーザに情報入力を要求する入力項目が含まれているかどうかを判定し（ステップＳ２５），ウェブページに入力項目があれば（ステップＳ２５のＹＥＳ），地区別入力補助情報記憶手段１３から，特定された地区コードをキーに対応する変換テーブルを取得する（ステップＳ２６）。そして，情報送出手段１９は，特定された地区コードに対応する入力補助情報（変換テーブル）を送出する（ステップＳ２７）。
【００３２】
端末装置２ａのブラウザでは，サーバ１と接続したら（ステップＳ１２のＹＥＳ），サーバ１からウェブページの表示情報，または，ウェブページの表示情報と端末装置２ａの地区に対応した入力補助情報とを取得する（ステップＳ１３）。
【００３３】
そして，自地区に対応したウェブページの表示情報を表示画面に表示する（ステップＳ１４）。ウェブページ上で，情報の入力操作／選択操作があれば（ステップＳ１５のＹＥＳ），取得してある変換テーブルをもとに入力補助情報（変換候補／選択候補）を表示する（ステップＳ１６）。
【００３４】
そして，端末装置２ａのブラウザは，ウェブページで入力された情報をサーバ１へ送出する（ステップＳ１７）。サーバ１は，端末装置２ａから，入力された情報を取得する（ステップＳ２８）。
【００３５】
例えば，ユーザに住所入力を要求する住所入力画面がウェブページの表示情報として送出されるとする。
【００３６】
受信されたグローバルＩＰアドレスのネットワーク番号から，端末装置２ａが，長野県内（地区コード＝００１７）である場合には，ウェブページの表示情報とともに，図４（Ａ）の変換テーブルが端末装置２ａへ送出される。端末装置２ａに表示された図８（Ａ）の住所入力画面でユーザが「ナガノ」と読みを入力すると，ユーザの変換処理操作によって，図４（Ａ）の変換テーブルをもとに，図８（Ｂ）に示すように，漢字変換候補として「長野」が表示される。
【００３７】
一方，受信されたグローバルＩＰアドレスのネットワーク番号から，端末装置２ｂが，栃木県内（地区コード＝００１３）である場合には，ウェブページの表示情報とともに，図４（Ｂ）の変換テーブルが端末装置２ｂへ送出される。端末装置２ｂの住所入力画面でユーザが「ナガノ」と読みを入力した場合には，図４（Ｂ）の変換テーブルをもとに，漢字変換候補として「長野」の代わりに「永野」が表示される。
【００３８】
このように，長野県にいるユーザと栃木県にいるユーザとがそれぞれサーバ１に接続した場合には，自分の端末装置２に同じウェブページが表示されるが，読み文字を入力し漢字変換する場合には，ユーザがいる地区に応じた変換候補が他の変換候補より優先的に表示されるので，入力したい変換候補をより簡単に見つけることができ，入力の効率化，省力化を図ることができる。
【００３９】
また，別の例として，ユーザに乗車駅と降車駅との入力を要求する乗車・降車駅選択画面がウェブページの表示情報として送出されるとする。
【００４０】
受信されたグローバルＩＰアドレスのネットワーク番号から，端末装置２ｃが，大阪府内（地区コード＝００２２）である場合には，ウェブページの表示情報とともに，図５（Ａ）の変換テーブルが端末装置２ｃへ送出される。端末装置２ｃに表示された乗車・降車駅選択画面でユーザが乗車駅を選択しようとすると，図９（Ａ）に示すように，乗車駅の選択欄に，選択される項目（駅名）がプルダウン形式で表示される。
【００４１】
一方，受信されたグローバルＩＰアドレスのネットワーク番号から，端末装置２ｄが，東京都内（地区コード＝００１０）である場合には，ウェブページの表示情報とともに，図５（Ｂ）の変換テーブルが端末装置２ｄへ送出される。端末装置２ｄに表示された乗車・降車駅選択画面でユーザが乗車駅を選択しようとすると，図９（Ｂ）に示すように，乗車駅の選択欄に，選択される項目（駅名）がプルダウン形式で表示される。
【００４２】
ユーザは，このプルダウンの項目から，入力する情報を選択する。大阪府にいるユーザと東京都にいるユーザとがそれぞれサーバ１に接続した場合には，自分の端末装置２に同じウェブページが表示されるが，選択欄で情報を選択する場合には，ユーザがいる地区に応じた選択候補が表示されるので，選択したい情報をより簡単に見つけることができ，入力の効率化，省力化を図ることができる。
【００４３】
以上,本発明をその実施の形態により説明したが,本発明はその主旨の範囲において種々の変形が可能であることは当然である。
【００４４】
図７の処理フローにおいて，端末装置２側の処理ステップＳ１３では，サーバ１から，ウェブページの表示情報と入力補助情報とを取得するものとして説明した。しかし，端末装置２では，ウェブページの表示情報を先に取得し，その後に，入力補助情報を取得するようにしてもよい。
【００４５】
また，本発明は，コンピュータにより読み取られ実行されるプログラムとして実施することができる。本発明を実現するプログラムは，コンピュータが読み取り可能な，可搬媒体メモリ，半導体メモリ，ハードディスクなどの適当な記録媒体に格納することができ，これらの記録媒体に記録して提供され，または，通信インタフェースを介して種々の通信網を利用した送受信により提供されるものである。
【図面の簡単な説明】
【００４６】
【図１】本発明の実施の形態における構成例を示す図である。
【図２】グローバルＩＰアドレスの番号情報の例を示す図である。
【図３】地区判断テーブルの例を示す図である。
【図４】変換テーブルの例を示す図である。
【図５】変換テーブルの例を示す図である。
【図６】変換テーブルの例を示す図である。
【図７】本発明の処理の流れを示す図である。
【図８】入力補助情報の表示例を示す図である。
【図９】入力補助情報の表示例を示す図である。
【符号の説明】
【００４７】
１  Ｗｅｂサーバ（サーバ）
１０  地区対応情報入力支援部
１１  地区情報記憶手段
１３  地区別入力補助情報記憶手段
１５  受信ＩＰアドレス地区判断手段
１７  地区別入力補助情報選択手段
１９  情報送出手段
２（２ａ，２ｂ，２ｃ，２ｄ，…）  端末装置
３  インターネット
【図１】
2008009663.tif 000003
【図２】
2008009663.tif 000004
【図３】
2008009663.tif 000005
【図４】
2008009663.tif 000006
【図５】
2008009663.tif 000007
【図６】
2008009663.tif 000008
【図７】
2008009663.tif 000009
【図８】
2008009663.tif 000010
【図９】
2008009663.tif 000011